(57)【特許請求の範囲】
【請求項１】
建物の天井面上側に形成される天井裏空間に、建物の内，外の換気を行う換気ユニット本体が設けられて、該換気ユニット本体の吸込口側が、外気導入ダクトを介して、屋外側と連通されると共に、前記外気導入ダクトには、外気を浄化するフィルタ本体が設けられたフィルタユニットが介在された換気装置であって、
前記フィルタユニットは、前記天井面下側に設けられたクローゼットの収納空間内のフィルタボックスに収納されて、前記収納空間内に設けられた棚板の上面に、該フィルタボックスが載置されることにより、該天井面近傍に、前記フィルタユニットを配置することを特徴とする換気装置。
【請求項２】
前記フィルタボックスは、上面視で少なくとも一つの角部が、面取りされた面取部を有することを特徴とする請求項１記載の換気装置。
【請求項３】
前記面取部は、前記収納空間内のコーナー部の形状に合わせて、裏面側の二面を面取りすることにより、正面側に形成された開口部から、前記フィルタ本体が、該収納空間内に向けて挿抜可能となるように、該フィルタボックスを斜めに設置することを特徴とする請求項２記載の換気装置。
【請求項４】
前記面取部によって形成される空間部に、給排気ダクトを延在させることを特徴とする請求項２又は３記載の換気装置。
【発明の詳細な説明】
【技術分野】
【０００１】
本発明は、建物の天井面よりも上方に設けられた換気装置本体に接続されて、主に屋外から導入された外気を浄化するフィルタ部材が設けられたフィルタボックスを、天井面よりも下方に位置させる換気装置に関するものである。
【背景技術】
【０００２】
従来から建物の屋内外の換気を行う換気装置が知られている（例えば、特許文献１等参照）。
【０００３】
このようなものでは、図１６に示すように、建物１の屋内側の天井面部２の上側には、屋根裏空間３が形成されている。
【０００４】
この屋根裏空間３には、換気装置４の換気ユニット本体５が設けられている。
【０００５】
この換気ユニット本体５には、吸込口５ａ側に、屋外側の吸気口６と連通されて外気を導入する外気導入ダクト７が接続されていて、給気側送風機１０の駆動によって、室内吹出口８と連通する給気ダクト９を介して、外気を室内に導入可能に構成されている。
【０００６】
また、前記換気ユニット本体５の排気口側５ｂには、屋外側の排気口１１と連通する排気ダクト１２が接続されていて、排気側送風機１３の駆動によって、室内の空気を、室内空気取入口１４と連通される排気取入ダクト１５から取り入れて、この排気ダクト１２を介して、屋外側の排気口１１へ排出可能に構成されている。
【０００７】
このうち、前記外気導入ダクト７には、外気を浄化するフィルタ本体１７及び補助送風機１８が設けられたフィルタユニット１６が介在されている。
【０００８】
また、前記天井面部２には、点検用開口１９が形成されていて、扉２０の下側に向けての開閉塞により、内部のフィルタ本体１７等のメンテナンスを行えるように、構成されている。
【０００９】
更に、図１７に示すものでは、フィルタユニット２１を室内２２の壁面部２３に取り付けて、図示省略の扉を左右方向に開閉塞することにより、点検作業者と略同じ高さに形成された開口部を介して、内部のフィルタ本体１７等のメンテナンスを行えるように、構成されている。
【００１０】
このように構成された従来の換気装置では、フィルタユニット２１が室内２２の壁面部２３に取り付けられているので、扉を左右方向に開閉塞することにより、点検作業者と略同じ高さに開口部が位置して、容易に内部のフィルタ本体１７の清掃や或いは交換作業を行うことができる。
【特許文献１】特開２００４−１５０７７８号公報（００１７段落乃至００４２段落、図１、図３）
【発明の開示】
【発明が解決しようとする課題】
【００１１】
しかしながら、このように構成された図１６に示す従来の換気装置では、フィルタ本体１７を収納するフィルタユニット１６が、天井面部２の上側に形成される屋根裏空間３内に設けられている。
【００１２】
このため、前記天井面部２に形成された点検用開口１９を介して、点検作業者は、例えば、フィルタ本体１７の清掃や或いは交換作業を行わなければならず、メンテナンス作業性が良好であるとは言い難かった。
【００１３】
また、前記図１７に示すような従来の換気装置では、フィルタユニット２１が、室内２２の壁面部２３に、取り付けられている。
【００１４】
このように、室内２２にフィルタユニット２１が、突出していると外観品質が良好ではないと共に、このフィルタユニット２１を隠すために、別途カバー部材等を設けなければならず、設置費用が増大してしまう虞があった。
【００１５】
そこで、この発明は、メンテナンス作業性が良好で、設置費用を増大させることなく、外観品質を向上させることができる給排気性能の良好な換気装置を提供することを課題としている。
【課題を解決するための手段】
【００１６】
上記目的を達成するために、請求項１に記載された発明は、建物の天井面上側に形成される天井裏空間に、建物の内，外の換気を行う換気ユニット本体が設けられて、該換気ユニット本体の吸込口側が、外気導入ダクトを介して、屋外側と連通されると共に、前記外気導入ダクトには、外気を浄化するフィルタ本体が設けられたフィルタユニットが介在された換気装置であって、前記フィルタユニットは、前記天井面下側に設けられたクローゼットの収納空間内のフィルタボックスに収納されて、前記収納空間内に設けられた棚板の上面に、該フィルタボックスが載置されることにより、該天井面近傍に、前記フィルタユニットを配置する換気装置を特徴としている。
【００１７】
また、請求項２に記載されたものは、前記フィルタボックスは、上面視で少なくとも一つの角部が、面取りされた面取部を有する請求項１記載の換気装置を特徴としている。
【００１８】
更に、請求項３に記載されたものは、前記面取部は、前記収納空間内のコーナー部の形状に合わせて、裏面側の二面を面取りすることにより、正面側に形成された開口部から、前記フィルタ本体が、該収納空間内に向けて挿抜可能となるように、該フィルタボックスを斜めに設置する請求項２記載の換気装置を特徴としている。
【００１９】
また、請求項４に記載されたものは、前記面取部によって形成される空間部に、給排気ダクトを延在させる請求項２又は３記載の換気装置を特徴としている。
【発明の効果】
【００２０】
このように構成された請求項１記載のものは、前記フィルタユニットが、前記天井面下側に設けられた収納空間内のフィルタボックスに収納されている。
【００２１】
このため、前記フィルタユニットの清掃及び交換等の点検作業を行う際には、メンテナンス作業者が、比較的低い位置で作業を行えるので、メンテナンス作業性を良好なものとすることができる。
【００２２】
また、前記フィルタユニットが収納されたフィルタボックスが、クローゼットの収納空間内に設けられているので、別途、カバー部材等を用いることなく、フィルタボックスを隠すことが出来、外観品質を良好なものとすることが出来る。
更に、前記フィルタユニットをクローゼットの収納空間内で、天井面近傍に配置できるので、下方に設ける場合に比して、外気導入ダクトを短く設定出来る。
このため、通気抵抗を減少させて、更に、給排気性能の良好な換気装置が提供される。
【００２３】
そして、請求項２に記載されたものは、前記フィルタボックスの上面視で少なくとも一つの角部に設けられた面取部によって、フィルタボックスの収納空間内における配置の自由度が増大する。
【００２４】
更に、請求項３に記載されたものは、斜めに設置されたフィルタボックスから、収納空間内で、前記フィルタ本体を挿抜できる。
【００２５】
このため、収納空間の室内側開口部が狭くても、メンテナンス作業を行える為、更に、メンテナンス性が良好である。
【００２６】
また、請求項４に記載されたものは、前記面取部によって形成される空間部に、給排気ダクトが延在されているので、更に、換気装置のスペース効率を良好なものとすることができる。
【発明を実施するための最良の形態】
【００２７】
次に、図１乃至図１５に基づいて、この発明を実施するための最良の実施の形態の換気装置の構成について説明する。
【００２８】
なお、前記従来例と同一乃至均等な部分については、同一符号を付して説明する。
【００２９】
まず、図４を用いて、この実施の形態の換気装置の全体の構成について説明すると、この実施の形態の建物としての二階建て住宅２５では、主に、外壁に充填された断熱材２４ａ…によって、屋外と区画された屋内側の断熱区画２４のうち、一，二階室内空間内には、各々一階ホール２６，リビング２７，洗面室２８，二階居室２９，３０及び二階ホール３１が設けられている。
【００３０】
これらの一，二階室内空間の上方には、屋根部３２が設けられている。
【００３１】
そして、この屋根部３２内で、前記二階居室２９及び二階ホール３１の屋内側の天井面部２の上側には、屋根裏空間３が形成されている。
【００３２】
この屋根裏空間３内の断熱区画内には、換気装置３４を構成する換気ユニットとしての熱交換換気ユニット３５及び除湿ユニット３６が設けられている。
【００３３】
このうち、前記熱交換換気ユニット３５には、吸込口５ａ側に、屋外側の吸気口６と連通されて外気を導入する外気導入ダクト７が接続されていて、図示省略の給気側送風機の駆動によって、分岐チャンバ９ａ,及び各室の室内吹出口８…と連通される給気ダクト９…を介して、外気が、前記二階居室２９，３０及び一階のリビング２７室内に導入されるように構成されている。
【００３４】
また、前記熱交換換気ユニット３５の排気口側５ｂには、屋外側の排気口１１と連通する排気ダクト１２が接続されていて、図示省略の排気側送風機の駆動によって、室内空気取入口１４,１４から取り入れられた前記洗面室２８及びホール３１室内の空気が、排気取入ダクト１５を介して、この熱交換換気ユニット３５に吸気されて、この排気ダクト１２から、屋外側の排気口１１へ排出されるように構成されている。
【００３５】
更に、前記除湿ユニット３６は、冷媒管、ドレイン管及び渡り線３７によって、屋外に載置された除湿室外機３８と接続されていて、室内に供給される外気の除湿が行われるように構成されている。
【００３６】
また、二階のホール３１と居室２９との間の隔壁３９及び一階のホール２６と洗面室２８との間に設けられる隔壁４０内には、前記冷媒管、ドレイン管及び渡り線３７と、前記給気ダクト９及び排気取入ダクト１５の一部とが、上下方向に延在されて収納されるダクトスペース３９ａ及び４０ａが形成されている。
【００３７】
そして、前記外気導入ダクト７には、外気を浄化するフィルタ本体が設けられたフィルタユニット４１が介在されている。
【００３８】
このフィルタユニット４１は、フィルタボックス４２に収納されていて、前記天井面部２の下側に設けられたクローゼット５０内部の収納空間５１に設けられた棚板５２の上面に載置されている。
【００３９】
次に、この実施の形態の換気装置の作用について説明する。
【００４０】
このように構成された実施の形態の換気装置では、前記フィルタユニット４１が、前記天井面部２下側に設けられたクローゼット５０の収納空間５１内のフィルタボックス４２に収納されている。
【００４１】
このため、前記フィルタユニット４１の清掃及び交換等の点検作業を行う際には、メンテナンス作業者が、比較的低い位置で作業を行えるので、メンテナンス作業性を良好なものとすることができる。
【００４２】
また、前記フィルタユニット４１が収納されたフィルタボックス４２が、クローゼット５０の収納空間５１内に設けられているので、別途、カバー部材等を用いることなく、フィルタボックス４２を隠すことが出来て、外観品質を良好なものとすることが出来る。
【実施例１】
【００４３】
図１乃至図１０は、この発明の実施の形態の実施例１の換気装置を説明するものである。なお、前記実施の形態と同一乃至均等な部分については、同一符号を付して説明する。
【００４４】
この実施例１では、図６に示されるように、二階居室２９のコーナー部２９ａには、床面から天井面部２に至るまで、上下方向に長辺を有する略箱形のクローゼット５０が固定されている。
【００４５】
このクローゼット５０の室内側開口部５０ａ周縁には、図３及び図５に示すような二枚折り戸５０ｂが開閉可能に設けられている。この室内側開口部５０ａ周縁のうち、上縁部には、図２及び図６に示すような垂れ壁５０ｃが、天井面部２から一定寸法ｄ、下方に向けて突設されて固定されている。
【００４６】
また、この実施例１のクローゼット５０内の収納空間５１に設けられるフィルタボックス４２は、図１，図７乃至図１０に示されるように、平面視略五角形の中空箱形形状を呈していて、正面側側面に開口部４２ａが形成されていると共に、この開口部４２ａの正面視右側側縁には、片開き扉４２ｂが、蝶番４２ｃを介して揺動自在に枢着されている。
【００４７】
このフィルタボックス４２には、内部に外気を浄化するフィルタ本体としての第１フィルタ４１ａ及び第２フィルタ４１ｂが設けられたフィルタユニット４１が、底面部４２ｄに突設形成されるガイドレール部材４２ｅ,４２ｅ及び４２ｆ,４２ｆに沿って、前記開口部４２ａからスライド挿抜可能に収納されている。
【００４８】
また、このフィルタボックス４２の上面部４２ｇには、前記フィルタユニット４１を、外気導入ダクト７の通風路内に介在させるために、前記吸気口６と連通する外気側ダクト７ａが接続される外気側開口部４２ｈと、前記熱交換換気ユニット３５と連通されるユニット側ダクト７ｂが接続されるユニット側開口部４２ｉとが、開口形成されている。
【００４９】
そして、この実施例１の前記フィルタボックス４２は、上面視で、前記開口部４２ａが形成されている側面とは、反対側の側面を挟んで、隣接する一対の角部が、約４５度の角度で面取りされて、面取部４２ｊ，４２ｊが各々形成されている。
【００５０】
この実施例１では、図２及び図３に示すように、前記面取部４２ｊ，４２ｊは、前記収納空間５１内のコーナー部２９ａの入り隅形状に合わせて面取り形成されていて、裏面側の二面の面取部４２ｊ，４２ｊが、このコーナー部２９ａを挟んで、略直角に突き合わせられた各内壁面２９ｂ，２９ｂに、各々沿うように配置可能としている。
【００５１】
そして、このフィルタボックス４２の面取部４２ｊ，４２ｊが、各内壁面２９ｂ，２９ｂに当接されることにより、このフィルタボックス４２の正面側に形成された開口部４２ａが、上，下方向に沿った軸を中心に、前記クローゼット５０の室内側開口部５０ａに対して、約４５度、傾けられて固定されている。
【００５２】
通常、フィルタボックス４２をクローゼット５０の室内側開口部５０ａに対して、正面に対向するように配置することにより、室内側にフィルタユニット４１を挿抜することが出来る。
【００５３】
しかしながら、この実施例１では、図６に示すような垂れ壁５０ｃが、天井面部２から一定寸法ｄ、下方に向けて突設されて固定されている。
【００５４】
このため、フィルタユニット４１を取り外そうとすると、収納空間５１の奥行き寸法が、このフィルタボックス４２の奥行き寸法の約２倍必要となる。
【００５５】
この実施例１では、図２に示すように、正面側に形成された開口部４２ａから、前記フィルタユニット４１が、この収納空間５１内に向けて挿抜可能となるように、フィルタボックス４２が斜めに設置されていて、前記垂れ壁５０ｃに、前記フィルタユニット４１が到達すると、前記フィルタボックス４２から、前記フィルタユニット４１が略全長に渡り取り出された状態となるように設定されている。
【００５６】
次に、この実施例１の換気装置の作用効果について説明する。
【００５７】
この実施例１の換気装置では、前記実施の形態の作用効果に加えて、更に、前記フィルタボックス４２の上面視で少なくとも一つの角部に設けられた面取部４２ｊによって、フィルタボックス４２の収納空間５１内における配置の自由度が増大する。
【００５８】
この実施例１では、各面取部４２ｊ，４２ｊを前記収納空間５１内のコーナー部２９ａの入り隅形状に合わせて、各内壁面２９ｂ，２９ｂに当接させることにより、斜めに、フィルタボックス４２を設置することにより、図５に示すように、収納空間５１内で、前記フィルタユニット４１を挿抜できる。
【００５９】
このため、図２に示すように、収納空間５１の上部でに設けられた垂れ壁５０ｃによって、室内側開口部５０ａが狭く設定されていても、フィルタボックス４２から、前記フィルタユニット４１を略取り出して、収納空間５１内で、図５中一点鎖線で示すように回転させると共に、図６中一点鎖線で示すように、下方にずらして、室内側開口部５０ａを通して、クローゼット５０内の収納空間５１から、二階居室２９内に取り出すことも出来、容易に、清掃や交換等のメンテナンス作業を行える為、更に、メンテナンス性が良好である。
【００６０】
従って、クローゼット５０の規格により、室内側開口部５０ａの上部に垂れ壁５０ｃが存在する大量生産品であっても、前記フィルタユニット４１を収納空間５１内に配置出来、特注品を用いる必要が無いため、設置費用の増大を抑制できる。
【００６１】
また、前記フィルタユニット４１を収納空間５１内で、天井面部２近傍に配置できるので、下方に設ける場合に比して、外気導入ダクト７を短く設定出来る。
【００６２】
このため、通気抵抗を減少させて、更に、給排気性能の良好な換気装置が提供される。
【００６３】
他の作用効果については、前記実施の形態と略同一であるので、説明を省略する。
【実施例２】
【００６４】
図１１乃至図１５は、この発明の実施の形態の実施例２の換気装置を示すものである。
【００６５】
なお、前記実施の形態及び実施例１と同一乃至均等な部分については、同一符号を付して説明する。
【００６６】
この実施例２の換気装置では、二階居室２９のコーナー部２９ａには、前記実施の形態の図４中のダクトスペース３９ａに相当するダクトスペース１３９ａが設けられていて、クローゼット１５０の収納空間１５１内に位置することにより、前記二枚折り戸５０ｂが閉塞された状態では、屋内側から視認できないように隠されて設けられている。
【００６７】
また、図１２に示すように、この実施例２では、前記フィルタボックス４２が、このダクトスペース１３９ａの手前に設けられていて、背面部４２ｋを前記ダクトスペース１３９ａの前面部１３９ｂに当接させると共に、左側面部４２ｍを、正面視左側に位置する内壁面２９ｂに当接させている。
【００６８】
このため、この実施例２の換気装置では、前記フィルタボックス４２が、クローゼット５０の室内側開口部５０ａに対して、正面に対向するように配置されている。
【００６９】
そして、前記フィルタボックス４２の正面視右側奥の面取部４２ｊによって形成されるこの収納部１５１内の空間部１５１ａに、給排気ダクトとしての給気ダクト９の湾曲部９ｂ及び排気取入ダクト１５の湾曲部１５ｂが、この面取り形状に沿わせて円弧状に延在されている。
【００７０】
次に、この実施例２の換気装置の作用について、説明する。
【００７１】
この実施例２の換気装置では、前記実施の形態及び実施例１の作用効果に加えて、更に、図１２及び図１５に示すように、前記フィルタボックス４２の面取部４２ｊによって形成される空間部１５１ａに、給気ダクト９の湾曲部９ｂ及び排気取入ダクト１５の湾曲部１５ｂが、この面取り形状に沿わせて円弧状を呈して延在されている。
【００７２】
このため、給気ダクト９の湾曲部９ｂ及び排気取入ダクト１５の湾曲部１５ｂを急角度で屈曲させる必要が無く、通気抵抗を増大させることなく、クローゼット５０の収納空間部１５１内に、上，下階に挿通される給気ダクト９及び排気取入ダクト１５のダクトスペース１３９ｂを設置できる。
【００７３】
従って、更に、換気装置のスペース効率を良好なものとすることができる。
【００７４】
以上、図面を参照して、本発明の実施の形態を詳述してきたが、具体的な構成は、この実施の形態に限らず、本発明の要旨を逸脱しない程度の設計的変更は、本発明に含まれる。
【００７５】
即ち、前記実施の形態及び実施例１，２では、収納空間として、クローゼット５０内部の収納空間５１，１５１を例示して、説明してきたが、特にこれに限らず、例えば、押し入れや、天袋、ウオークインクローゼット等、天井面部２よりも下側に設けられた収納空間に配置されるものであればよい。
【００７６】
また、前記フィルタボックス４２の形状も、１又は３以上の面取部を設ける等、少なくとも１つの角部に面取部が設けられていれば、どのような形状、数量及び材質のフィルタボックスであってもよい。
【図面の簡単な説明】
【００７７】
【図１】本発明の実施の形態の実施例１の換気装置に用いられるフィルタボックスを示し、構成を説明する斜視図である。
【図２】本発明の実施の形態の実施例１の換気装置で、クローゼット内の収納空間に、フィルタボックスが配置されている様子を説明する図６中Ａ−Ａ線に沿った位置での断面図である。
【図３】本発明の実施の形態の実施例１の換気装置で、クローゼット内の収納空間に、フィルタボックスが配置されている様子を説明する図６中Ｂ−Ｂ線に沿った位置での断面図である。
【図４】本発明の実施の形態の換気装置で、全体の構成を説明する建物の模式的な縦断面図である。
【図５】本発明の実施の形態の実施例１の換気装置を説明し、フィルタユニットを取り出す様子を説明し、図３に相当する部分での断面図である。
【図６】本発明の実施の形態の実施例１の換気装置を説明し、収納空間に、フィルタボックスが配置されている様子を説明するクローゼットの縦断面図である。
【図７】本発明の実施の形態の実施例１の換気装置に用いられるフィルタボックスの正面図である。
【図８】本発明の実施の形態の実施例１の換気装置に用いられるフィルタボックスで、図７中Ｆ部の拡大図である。
【図９】本発明の実施の形態の実施例１の換気装置に用いられるフィルタボックスの上面視の構成を説明し、図１中Ｃ−Ｃ線位置での上面図である。
【図１０】本発明の実施の形態の実施例１の換気装置に用いられるフィルタボックスの構成を説明し、図１中Ｄ−Ｄ線位置での断面図である。
【図１１】本発明の実施の形態の実施例２の換気装置で、クローゼット内部の配置を説明する模式的な水平断面図である。
【図１２】本発明の実施の形態の実施例２の換気装置で、構成を説明する図１４中Ｇ−Ｇ線に沿った位置での断面図である。
【図１３】本発明の実施の形態の実施例２の換気装置で、構成を説明する図１４中Ｈ−Ｈ線に沿った位置での断面図である。
【図１４】本発明の実施の形態の実施例２の換気装置で、構成を説明する図１１中Ｉ−Ｉ線に沿った位置での断面図である。
【図１５】本発明の実施の形態の実施例２の換気装置で、構成を説明する図１１中Ｊ−Ｊ線に沿った位置での断面図である。
【図１６】一従来例の換気装置で、主要部の構成を説明する模式的な建物の縦断面図である。
【図１７】他の従来例の換気装置で、主要部の構成を説明する模式的な建物の縦断面図である。
【符号の説明】
【００７８】
２        天井面部（天井面）
３        屋根裏空間
６        吸気口
７        外気導入ダクト
７ａ      外気側ダクト
７ｂ      ユニット側ダクト
９        給気ダクト（給排気ダクト）
９ｂ      湾曲部
１５      排気取入ダクト（給排気ダクト）
１５ｂ    湾曲部
２５      二階建て住宅（建物）
３４      換気装置
３５      熱交換換気ユニット（換気ユニット）
４１      フィルタユニット
４１ａ    第１フィルタ（フィルタ本体）
４１ｂ    第２フィルタ（フィルタ本体）
４２      フィルタボックス
４２ｊ    面取部
５１，１５１    収納空間
【図１】
0004733544.tif 000002
【図２】
0004733544.tif 000003
【図３】
0004733544.tif 000004
【図４】
0004733544.tif 000005
【図５】
0004733544.tif 000006
【図６】
0004733544.tif 000007
【図７】
0004733544.tif 000008
【図８】
0004733544.tif 000009
【図９】
0004733544.tif 000010
【図１０】
0004733544.tif 000011
【図１１】
0004733544.tif 000012
【図１２】
0004733544.tif 000013
【図１３】
0004733544.tif 000014
【図１４】
0004733544.tif 000015
【図１５】
0004733544.tif 000016
【図１６】
0004733544.tif 000017
【図１７】
0004733544.tif 000018